(57)【特許請求の範囲】
【請求項１】
パワーユニット(１)のユニットケース(10)から突出する出力軸(32)の軸端部(32ｂ)に一体に回転するように配された延長シャフト(６)と、同延長シャフト(６)の軸線方向を変換する一組のベベルギア(41,42)とを、前記パワーユニット(１)に設けられたベベルギアケース(40)に収容し、
前記延長シャフト(６)に、カム部材(85)と、同カム部材(85)と協働するリフタ部材(81)と、同リフタ部材(81)と前記カム部材(85)を圧接させるダンパスプリング(83)とを含むカムダンパ機構(８)を備えたシャフトドライブ式車両のパワーユニットにおいて、
前記カムダンパ機構(８)の前記カム部材(85)は、前記一組のベベルギア(41,42)の一方のベベルギア(41)と相互回転不能に且つ前記延長シャフト(６)に回転可能に設けられ、前記リフタ部材(81)は、前記延長シャフト(６)に軸方向摺動可能に且つ回転不能に設けられ、前記ダンパスプリング(83)は、その一端側(83ａ)が前記延長シャフト(６)の出力軸側部(６ａ)に突設された第１の鍔部(82)に支承され、他端側(83ｂ)が前記リフタ部材(81)に当接して同リフタ部材(81)を前記カム部材(85)に向けて軸方向に付勢するとともに、同カム部材(85)が受けた軸方向の付勢力は少なくとも前記一方のベベルギア(41)で支承されるように構成され、
前記延長シャフト(６)は、前記出力軸側部(６ａ)の前記第１の鍔部(82)と他端部(６ｂ)に締結された第１のベアリング(75)との間に前記一方のベベルギア(41)と前記カムダンパ機構(８)を備えて、前記第１のベアリング(75)とともにベベルギアホルダ(45)に固着された状態で前記ベベルギアケース(40)に収容されるように構成されたことを特徴とするシャフトドライブ式車両のパワーユニット。
【請求項２】
前記延長シャフト(６)上に別体のカラー部材(63)が嵌装され、
同カラー部材(63)は、前記一方のベベルギア(41)が相対回動可能に枢支される第１の円筒部(63ａ)と、前記一方のベベルギア(41)と前記第１のベアリング(75)との間に挟まれ径方向外側に延びる第２の鍔部(63ｃ)を有し、
前記延長シャフト(６)には、前記カラー部材(63)の第１の円筒部(63ａ)の端部が当接される段部(61)が設けられ、
前記第１のベアリング(75)は、そのインナーレース(75ａ)が押え板部材(64)と前記カラー部材(63)とに挟まれて締付け部材(65)によって前記延長シャフト(６)に締め付けられたことを特徴とする請求項１記載のシャフトドライブ式車両のパワーユニット。
【請求項３】
前記一方のべべルギア(41)およびカム部材(85)の、前記カラー部材(63)の第２の鍔部(63ｃ)と対峙する側は、一部が同第２の鍔部(63ｃ)と当接する当接面(41ｃ,85ｃ)をなし、他部は同第２の鍔部(63ｃ)との間に間隙(41ｄ,85ｄ)を有するように構成されたことを特徴とする請求項２記載のシャフトドライブ式車両のパワーユニット。
【請求項４】
前記カラー部材(63)には、前記第１のベアリング(75)のインナーレース(75ａ)の内周面に嵌入して延在する第２の円筒部(63ｂ)が形成されたことを特徴とする請求項２または請求項３記載のシャフトドライブ式車両のパワーユニット。
【請求項５】
前記延長シャフト(６)の前記他端部(６ｂ)および前記カラー部材(63)の第２の円筒部(63ｂ)の端部と、前記押え板部材(64)との間には、クリアランス(ｃ1,ｃ2)が設けられたことを特徴とする請求項４記載のシャフトドライブ式車両のパワーユニット。
【請求項６】
前記ベベルギアホルダ(45)には、前記第１のベアリング(75)が固着される穴部(46)が設けられ、
同穴部(46)には、同穴部(46)の前記出力軸側において径方向内側に突出する突出部(46ａ)と、同穴部(46)の延長シャフト軸端側における雌ネジ部(46ｂ)とが設けられ、前記第１のベアリング(75)は、前記突出部(46ａ)に着座するとともに、前記雌ネジ部(46ｂ)に螺合するロックナット(47)で固定されたことを特徴とする請求項１記載のシャフトドライブ式車両のパワーユニット。
【請求項７】
前記出力軸(32)の前記軸端部(32ｂ)は、前記ユニットケース(10)を貫通して第２のベアリング(74)を介し軸支され、
前記延長シャフト(６)は、前記出力軸(32)とスプライン結合されるとともに、同延長シャフト(６)の前記出力軸側部(６ａ)は、前記第２のベアリング(74)とクリアランス(ｃ3)をもって配されたことを特徴とする請求項１記載のシャフトドライブ式車両のパワーユニット。
【請求項８】
前記第２のベアリング(74)は、前記ユニットケース(10)のベアリング保持ボス(10ｂ)に収容保持され、同ベアリング保持ボス(10ｂ)が前記延長シャフト(６)側に突出する突出環部(10ｃ)を有し、同突出環部(10ｃ)と前記延長シャフト(６)の出力軸側部(６a)との間に第３のベアリング(76)が介装されるとともに、
前記第１の鍔部(82)と前記突出環部(10ｃ)との間には、軸方向にクリアランス(ｃ4)が設けられたことを特徴とする請求項７記載のシャフトドライブ式車両のパワーユニット。
【請求項９】
前記出力軸(32)には出力軸中空部(32ｃ)が設けられ、出力軸中空部(32ｃ)の内部に潤滑油が通され、前記延長シャフト(６)にも出力軸中空部(32ｃ)と連通する延長シャフト中空部(６ｃ)が設けられ、出力軸中空部(32ｃ)側の潤滑油が延長シャフト中空部(６ｃ)に流通可能に構成されたことを特徴とする請求項７記載のシャフトドライブ式車両のパワーユニット。
【発明の詳細な説明】
【技術分野】
【０００１】
本発明は、シャフトドライブ式車両のパワーユニットに関し、特に、パワーユニットの出力軸の軸端部に設けられた延長シャフトに、カムダンパ機構と、ドライブシャフト系を接続する一組のベベルギアとを備えたパワーユニットに関する。
【背景技術】
【０００２】
シャフトドライブ式自動二輪車のパワーユニットにおいて、変速機のカウンタ軸が出力軸をなし、クランクケースから外側方に突出した出力軸の軸端部に延長シャフトが同軸に設けられ、延長シャフトにカムダンパ機構と、ドライブシャフト系を接続する一組のベベルギアとを備えたものが、例えば、下記特許文献１に示されている。
【先行技術文献】
【特許文献】
【０００３】
【特許文献１】特許４７９５１８２号公報（図２）
【発明の概要】
【発明が解決しようとする課題】
【０００４】
上記特許文献１に示されるようなパワーユニットの構造では、延長シャフトの外側端部がベアリングを介してベベルギアカバーに回転自在に支持され、延長シャフトには一方のベベルギア、カムダンパ機構が直列に装着されている。
延長シャフトの組み付けに際しては、まず、カウンタ軸にカムダンパ機構をなす一方のカムフェイス部材を締付け、ベベルギアカバーにセットされたベアリングには、延長シャフトの外側端部を一方のベベルギアを挟んで挿通し締め付け、カムダンパ機構をなす他方のカム部材とダンパスプリングを装着した状態で、ベベルギアカバーをクランクケースに押し当てて締結することで、延長シャフトの内側端部は出力軸にニードルベアリングを介して同軸相互回転自在に接続し、カム部材は、カウンタ軸（出力軸）側に嵌合したカムフェイス部材（リフタ部材）に押し当てられ、ダンパスプリングは規定のプリロードの圧縮状態にされる。
【０００５】
したがって、上記特許文献１に示されるようなパワーユニットの構造によれば、パワーユニットの軸を増やさずにカムダンパを設けることができ、コストや軽量化の観点で有利であるが、ダンパスプリングはベベルギアカバーをクランクケースに取り付けて初めてプリロードが掛かるので、また、一組のベベルギアを規定の噛み合い状態にするためには、ベベルギアケースとベアリングの間、またはベアリングと一方のベベルギアの間にシムを設ける必要があるので、シムとダンパスプリングの両方を一緒に締め付けおよび圧縮することとなり、ダンパスプリングのプリロードの確認が難しいうえ、シムの厚みによってプリロードが変化してしまうという課題があった。
【０００６】
本発明は、上記従来技術に鑑み、パワーユニットの出力軸の軸端部に設けられた延長シャフトに、カムダンパ機構と、ドライブシャフト系を接続する一組のベベルギアとを備えたパワーユニットにおいて、ダンパスプリングのプリロード均一化と、ベベルギアの噛み合い量調性の容易化を、両立させることができるシャフトドライブ式車両のパワーユニットを提供することを課題とする。
【課題を解決するための手段】
【０００７】
上記の課題を解決するために、請求項１に記載の発明は、パワーユニットのユニットケースから突出する出力軸の軸端部に一体に回転するように配された延長シャフトと、同延長シャフトの軸線方向を変換する一組のベベルギアとを、前記パワーユニットに設けられたベベルギアケースに収容し、前記延長シャフトに、カム部材と、同カム部材と協働するリフタ部材と、同リフタ部材と前記カム部材を圧接させるダンパスプリングとを含むカムダンパ機構を備えたシャフトドライブ式車両のパワーユニットにおいて、前記カムダンパ機構の前記カム部材は、前記一組のベベルギアの一方のベベルギアと相互回転不能に且つ前記延長シャフトに回転可能に設けられ、前記リフタ部材は、前記延長シャフトに軸方向摺動可能に且つ回転不能に設けられ、前記ダンパスプリングは、その一端側が前記延長シャフトの出力軸側部に突設された第１の鍔部に支承され、他端側が前記リフタ部材に当接して同リフタ部材を前記カム部材に向けて軸方向に付勢するとともに、同カム部材が受けた軸方向の付勢力は少なくとも前記一方のベベルギアで支承されるように構成され、前記延長シャフトは、前記出力軸側部の前記第１の鍔部と他端部に締結された第１のベアリングとの間に前記一方のベベルギアと前記カムダンパ機構を備えて、前記第１のベアリングとともに前記ベベルギアホルダに固着された状態で前記ベベルギアケースに収容されるように構成されたことを特徴とするシャフトドライブ式車両のパワーユニットである。
【０００８】
請求項２に記載の発明は、請求項１に記載のシャフトドライブ式車両のパワーユニットにおいて、前記延長シャフト上に別体のカラー部材が嵌装され、
同カラー部材は、前記一方のベベルギアが相対回動可能に枢支される第１の円筒部と、前記一方のベベルギアと前記第１のベアリングとの間に挟まれ径方向外側に延びる第２の鍔部を有し、前記延長シャフトには、前記カラー部材の第１の円筒部の端部が当接される段部が設けられ、前記第１のベアリングは、そのインナーレースが押え板部材と前記カラー部材とに挟まれて締付け部材によって前記延長シャフトに締め付けられたことを特徴とする。
【０００９】
請求項３に記載の発明は、請求項２に記載のシャフトドライブ式車両のパワーユニットにおいて、前記一方のべべルギアおよびカム部材の、前記カラー部材の第２の鍔部と対峙する側は、一部が同第２の鍔部と当接する当接面をなし、他部は同第２の鍔部との間に間隙を有するように構成されたことを特徴とする。
【００１０】
請求項４に記載の発明は、請求項２または請求項３に記載のシャフトドライブ式車両のパワーユニットにおいて、前記カラー部材には、前記第１のベアリングのインナーレースの内周面に嵌入して延在する第２の円筒部が形成されたことを特徴とする。
【００１１】
請求項５に記載の発明は、請求項４に記載のシャフトドライブ式車両のパワーユニットにおいて、前記延長シャフトの前記他端部および前記カラー部材の第２の円筒部の端部と、前記押え板部材との間には、クリアランスが設けられたことを特徴とする。
【００１２】
請求項６に記載の発明は、請求項１に記載のシャフトドライブ式車両のパワーユニットにおいて、前記ベベルギアホルダには、前記第１のベアリングが固着される穴部が設けられ、同穴部には、同穴部の前記出力軸側において径方向内側に突出する突出部と、同穴部の延長シャフト軸端側における雌ネジ部とが設けられ、前記第１のベアリングは、前記突出部に着座するとともに、前記雌ネジ部に螺合するロックナットで固定されたことを特徴とする。
【００１３】
請求項７に記載の発明は、請求項１に記載のシャフトドライブ式車両のパワーユニットにおいて、前記出力軸の前記軸端部は、前記ユニットケースを貫通して第２のベアリングを介し軸支され、前記延長シャフトは、前記出力軸とスプライン結合されるとともに、同延長シャフトの前記出力軸側部は、前記第２のベアリングとクリアランスをもって配されたことを特徴とする。
【００１４】
請求項８に記載の発明は、請求項７に記載のシャフトドライブ式車両のパワーユニットにおいて、前記第２のベアリングは、前記ユニットケースのベアリング保持ボスに収容保持され、同ベアリング保持ボスが前記延長シャフト側に突出する突出環部を有し、同突出環部と前記延長シャフトの出力軸側部との間に第３のベアリングが介装されるとともに、
前記第１の鍔部と前記突出環部との間には、軸方向にクリアランスが設けられたことを特徴とする。
【００１５】
請求項９に記載の発明は、請求項７に記載のシャフトドライブ式車両のパワーユニットにおいて、前記出力軸には出力軸中空部が設けられ、出力軸中空部の内部に潤滑油が通され、前記延長シャフトにも出力軸中空部と連通する延長シャフト中空部が設けられ、出力軸中空部側の潤滑油が延長シャフト中空部に流通可能に構成されたことを特徴とする。
【発明の効果】
【００１６】
請求項１の発明のシャフトドライブ式車両のパワーユニットによれば、延長シャフトの出力軸側部に第１の鍔部を設け、延長シャフトの他端部に第１のベアリングを締結することで、カムダンパ機構を延長シャフト上に完結させて設けることとなり、ダンパスプリングの圧縮量を延長シャフト側のアセンブリのみで固定することができる。
そのようにアセンブリされた延長シャフトを第１のベアリングとともにベベルギアホルダに固着すれば、ベベルギアホルダをベベルギアケースに組み付ける際に、一組のベベルギアの噛み合い量調整のために、ベベルギアホルダとベベルギアケースの合わせ面においてシム調整を行なう場合も、ダンパスプリングの圧縮量に影響を与えることがない。
したがって、ダンパスプリングのプリロード均一化と、ベベルギアの噛み合い量調性の容易化を、両立させることができる。
【００１７】
請求項２の発明によれば、請求項１の発明の効果に加え、カラー部材を別体にすることで、第２の鍔部を組み付け容易に設定でき、また、第１のベアリングを締結する荷重を、締付け部材から順に、延長シャフト、延長シャフトの段部、カラー部材の第１の円筒部、カラー部材の第２の鍔部、第１のベアリングのインナーレース、押え板部材と閉じることができ、第１のベアリングを確実に締め付けることができる。
また、カムダンパ機構のカム部材は、受けたダンパスプリングの軸方向力が、少なくとも一方のべべルギア、カラー部材の第２の鍔部、第１のベアリングのインナーレース、押え板部材および締付け部材を介して延長シャフトに支承されるので、カム部材の軸方向位置を固定できる。
【００１８】
請求項３の発明によれば、請求項２の発明の効果に加え、カラー部材の第２の鍔部と対峙する側の一部を当接面とすることで、当接面の面積を減じ、また、他部の間隙には潤滑油が保持され、カムダンパ機構の作動によるカム部材の延長シャフトに対する位相変化回動における摩擦抵抗を減ずる。
【００１９】
請求項４の発明によれば、請求項２または請求項３の発明の効果に加え、第１のベアリングの内径が第２の円筒部の分だけ大きいものとなり、ベアリングのボールまたはコロのサイズを大きくすることなく容量の大きいベアリングで延長シャフトを軸支することができ、装置コストを抑制できる。
【００２０】
請求項５の発明によれば、請求項４の発明の効果に加え、第１のベアリングの締め代を、容易に管理できる。
【００２１】
請求項６の発明によれば、請求項１の発明の効果に加え、簡易な構成で、第１のベアリングをベベルギアホルダ内に固定することができる。
【００２２】
請求項７の発明によれば、請求項１の発明の効果に加え、延長シャフトは出力軸とスプライン結合されることで、出力軸と一体に回転可能であり、軸方向力に対しては第１のベアリングを介してベベルギアホルダ側に片持ち支持されることで、延長シャフト上のカムダンパ機構に不要な軸方向力が掛かることが回避される。
【００２３】
請求項８の発明によれば、請求項７の発明の効果に加え、延長シャフトに軸方向力を掛けることなく、より確実に延長シャフトを径方向に軸支できる。
【００２４】
請求項９の発明によれば、請求項７の発明の効果に加え、カムダンパ機構や一対のベベルギアの周辺に容易に潤滑油を流すことができる。
【図面の簡単な説明】
【００２５】
【図１】本発明の一実施形態に係るシャフトドライブ式車両の内燃機関の左側面図である。
【図２】図２中、ＩＩ−ＩＩ矢視による断面展開図である。
【図３】図２中の延長シャフト周辺の拡大図である。
【図４】図３中、ＩＶ−ＩＶ矢視に相当する、カムダンパ機構の模式的説明図である。
【図５】図４中、Ｖ−Ｖ矢視に相当する、カムダンパ機構の模式的説明図である。
【発明を実施するための形態】
【００２６】
図１から図５に基づき、本発明の一実施形態に係るシャフトドライブ式車両のパワーユニットにつき説明する。
なお、本明細書の説明および特許請求の範囲における前後左右上下等の向きは、本実施形態に係るシャフトドライブ式車両のパワーユニットを、シャフトドライブ式車両に搭載した状態での車両の向きに従うものとする。
本実施形態においてシャフトドライブ式車両は図示しない小型車両であり、例えば自動二輪車である。
また、図中矢印ＦＲは車両前方を、ＬＨは車両左方を、ＲＨは車両右方を、ＵＰは車両上方を、それぞれ示す。
【００２７】
図１から図５は、本発明の一実施形態に係るものであり、図１に、本実施形態のパワーユニット１を、図示しないシャフトドライブ式車両に搭載された状態の姿勢で示す。
パワーユニット１は、クランクケースとなるユニットケース10の前部に備えられる内燃機関２と後部に備えられる変速装置３から構成される。
【００２８】
内燃機関２は、水冷式４ストロークサイクルＶ型４気筒内燃機関であり、４個の気筒は２個ずつ前部バンク21と後部バンク22を構成し、前後方向にＶ型に開いている。内燃機関２のクランク軸20（図２参照）はその軸線Ｘを車両進行方向に直交させ、車両の左右方向に向けて配置されている。
変速装置３は、常時噛み合い式歯車変速機で構成され、その変速装置３のメイン軸31とカウンタ軸32はそれらの軸線Ｙ、Ｚが、クランク軸20の軸線Ｘと平行である。
【００２９】
パワーユニット１の出力軸となるカウンタ軸32の、ユニットケース10から突出した軸端部32ｂには、同軸で一体に回転するように延長シャフト６が配され、延長シャフト６には、軸線方向を変換する一組のベベルギア、すなわち駆動ベベルギア41と被動ベベルギア42を含む軸線変換部４が備えられており、被動ベベルギア42には、同軸の連結軸43が一体に設けられている。
連結軸43は、ユニットケース10に設けられたベベルギアケース40において、カウンタ軸32の軸線（延長シャフト６の軸線）Ｚと直交して、軸線Ｄ方向を後方に向けて配設され、延長シャフト６により一組のベベルギア41、42を介して回転駆動され（図２、３参照）、ドライブシャフト系90が接続されて、ドライブシャフト系90は図示しないリヤフォークに沿って車両後方へ伸び、図示しない後輪を駆動する。
【００３０】
図１に示されるように、ユニットケース10は、上側ユニットケース10Ａと下側ユニットケース10Ｂが結合されて成るものであり、上側ユニットケース10Ａには、それぞれのシリンダ軸線Ｃ1、Ｃ2が側面視でＶ字形をなすようにして前部および後部バンク21、22が一体に形成され、クランク軸20の軸線Ｘは上側ユニットケース10Ａと下側ユニットケース10Ｂの結合面10ａに配置される。
【００３１】
前部バンク21は、ユニットケース10の上側ユニットケース10Ａに一体に連なる前部シリンダブロック11と、前部シリンダブロック11に結合される前部シリンダヘッド13と、前部シリンダヘッド13に結合される前部ヘッドカバー15とで構成され、後部バンク22は、クランクケース10の上側ユニットケース10Ａに一体に連なる後部シリンダブロック12と、後部シリンダブロック12に結合される後部シリンダヘッド14と、後部シリンダヘッド14に結合される後部ヘッドカバー16とで構成され、ユニットケース10の下部にはオイルパン17が結合される。
【００３２】
前部シリンダブロック11には、クランク軸20の軸線Ｘ方向に並ぶ２つのシリンダボア23…が形成され、後部シリンダブロック12には、クランク軸20の軸線Ｘ方向に並ぶ２つのシリンダボア24…が形成されており、前部バンク21の両シリンダボア23…にそれぞれ摺動可能に嵌合されるピストン25…と、後部バンク22の両シリンダボア24…にそれぞれ摺動可能に嵌合されるピストン26…とが、それぞれコンロッド27…、28…を介してクランク軸20に共通に連接される。
各バンク21、22の動弁機構、弁動作については、広く公知のものであるので、図示説明を省略する。
【００３３】
図２に示されるように、クランク軸20と図示しない後輪との間の動力伝達経路は、クランク軸20側から順に一次減速装置29、クラッチ装置５、常時噛み合い式歯車変速機で構成される変速装置３、一組のベベルギア41、42、連結軸43を備えベベルギアケース40に収容される軸線変換部４、および連結軸43に接続するドライブシャフト系90を備えており、一次減速装置29およびクラッチ装置５はユニットケース10の右側を覆って取り付けられる右ユニットケースカバー18Ｒ内に収容され、変速装置３はユニットケース10内に収容される。
【００３４】
ユニットケース10は、クランク軸20の軸線Ｘ方向に間隔をあけて相互に対向する一対の左右側壁19Ｌ、19Ｒを含むものである。
変速装置３のメイン軸31は、第１メイン軸31Ａと第２メイン軸31Ｂとからなり、クランク軸20と平行な軸線Ｙを有して円筒状に形成される第１メイン軸31Ａの中間部は、右側壁19Ｒを回転自在に貫通し、右側壁19Ｒと第１メイン軸31Ａとの間にはボールベアリング70が介装される。
クランク軸20と平行な軸線Ｙを有する第２メイン軸31Ｂは、第１メイン軸31Ａとの軸Ｙ方向相対位置を一定としつつ第１メイン軸31Ａを同軸に相対回転可能に貫通するものであり、第１メイン軸31Ａと第２メイン軸31Ｂとの間には複数のニードルベアリング71…が介装される。
また第２メイン軸31Ｂの左端部はユニットケース10の左側壁19Ｌにボールベアリング72を介して回転自在に支承される。
【００３５】
メイン軸31のユニットケース10の右側壁19Ｒより右方に突出した右側部には、多板摩擦式のクラッチ装置５が設けられている。
クラッチ装置５のクラッチアウタ５ａは、第１メイン軸31Ａに回転自在に軸支されたプライマリ被動ギヤ29Ｂに緩衝部材を介して支持されており、プライマリ被動ギヤ29Ｂは、クランク軸20に嵌着されたプライマリ駆動ギヤ29Ａと噛合し、一次減速装置29を構成している。
【００３６】
クランク軸20の回転動力は、一次減速装置29を介してクラッチ装置５に伝達されるが、クラッチ装置５は、変速装置３のギヤ切換え中にはクランク軸20の回転動力を変速装置３に伝達せずにニュートラル状態とし、変速装置３のギヤ切換えが終了するとともにクランク軸20の回転動力を変速装置３のメイン軸31に伝達するように構成されている。
【００３７】
変速装置３は、選択的に確立可能な複数変速段の歯車列たとえば第１〜第６速用歯車列Ｇ1、Ｇ2、Ｇ3、Ｇ4、Ｇ5、Ｇ6を備えてユニットケース10内に収納されており、第１メイン軸31Ａとカウンタ軸32と間に第２、第４、第６速用歯車列Ｇ2、Ｇ4、Ｇ6が設けられるとともに、第１メイン軸31Ａを同軸にかつ相対回転自在に貫通する第２メイン軸31Ｂとカウンタ軸32との間に第１、第３、第５速用歯車列Ｇ1、Ｇ3、Ｇ5が設けられている。
【００３８】
クランク軸20と平行な軸線Ｚを有するカウンタ軸（本発明の「出力軸」）32の右端部32ａはボールベアリング73を介して右側壁19Ｒに回転自在に支承され、カウンタ軸32の左端部（本発明の「軸端部」）32ｂは、第２ボールベアリング74（本発明の「第２のベアリング」）を左側壁19Ｌとの間に介在させて左側壁19Ｌを回転自在に貫通して外部に突出して、内燃機関１の出力軸32となっている。
【００３９】
図３に示されるように、左側壁19Ｌから左側方に突出するカウンタ軸32の左端部32ｂには、スプライン結合部33を介して延長シャフト６の右端部（本発明の「出力軸側部」）６ａが同一軸線上に一体に回転するように接続されて、延長シャフト６の左端部（本発明の「他端部」）６ｂは、ユニットケース10に設けられたベベルギアケース40に締結されるベベルギアホルダ45に、第１ボールベアリング75（本発明の「第１のベアリング」）によって回転自在に軸支される。
なお、本実施形態においてベベルギアケース40は、ユニットケース10に一体に形成された殻体で構成されるが、ユニットケース40に強固に締結される殻体によって構成されてもよい。
【００４０】
かかる延長シャフト６上には、カム部材85と、カム部材85と協働するリフタ部材81と、リフタ部材81とカム部材85を圧接させるダンパスプリング83とを含むカムダンパ機構８が備えられている。
すなわち、延長シャフト６上には、スプライン嵌合により軸方向摺動可能に且つ回転不能に、カムダンパ機構８の環状のリフタ部材81が設けられ、延長シャフト６の右端部６ａの外周には第１の鍔部82が突設され、第１の鍔部82に右端側（本発明の「一端側」）83ａが支承され、左端側（本発明の「他端側」）83ｂがリフタ部材81に当接して、リフタ部材81を軸方向左に付勢するように、ダンパスプリング83が介装されている。
リフタ部材81の左側面81ｂには、周方向に沿って軸方向に凹部をなす凹カム面84が形成されており、凹カム面84は、延長シャフト６上、左側に装着されたカム部材85の凸カム部86が当接する。
【００４１】
延長シャフト６には、リフタ部材81の左側面81ｂ近くの位置に、段部61が設けられ、その左側の方が小径部62に形成されており、小径部62には、延長シャフト６とは別体のカラー部材63が嵌装されている。
カラー部材63の右側部分の第１の円筒部63ａの右端部は、延長シャフト７の段部61に当接され、第１の円筒部63ａには、カム部材85が相対回動可能、軸方向摺動可能に枢支され、カム部材85の外周には駆動ベベルギア41が、スプライン嵌合によって相互回転不能に取り付けられている。
すなわち、カラー部材63の第１の円筒部63ａは、カム部材85を介して駆動ベベルギア41を相対回動可能に枢支している。
【００４２】
また、カラー部材63の左側部分は、第１ボールベアリング75のインナーレース75ａの内周面に嵌入して延在する第２の円筒部63ｂに形成されており、さらに第１の円筒部63ａと第２の円筒部63ｂの間は、駆動ベベルギア41と第１ボールベアリング75との間に挟まれ径方向外側に延びる第２の鍔部63ｃを形成している。
したがって、第２の円筒部63ｂが第１ボールベアリング75のインナーレース75ａの内周面に嵌入して延在しているので、第１ボールベアリング75の内径は第２の円筒部63ｂの分だけ大きいものとなり、ベアリングのボールまたはコロのサイズを大きくすることなく容量の大きいベアリングで延長シャフト６を軸支することができ、装置コストが抑制されている。
【００４３】
第１ボールベアリング75のインナーレース75ａの左側面には押え板部材64が当てられ、押え板部材64は、締付けボルト（本発明の「締付け部材」）65によって、延長シャフト６の左端部６ｂに締結される。
このとき、カラー部材63の第２の円筒部63ｂの左端部と延長シャフト６の左端部６ｂは、押え板部材64との間にクリアランスｃ１、ｃ２を有するように設定されている。
【００４４】
したがって、第１ボールベアリング75は、押え板部材64とカラー部材63の第２の鍔部63ｃとに挟まれて締付けボルト65によって締め付けられ、第１ボールベアリング65を締結する荷重を、締付けボルト65から順に、延長シャフト６、延長シャフト６の段部61、カラー部材63の第１の円筒部63ａ、第２の鍔部63ｃ、第１ボールベアリング75のインナーレース75ａ、押え板部材64、と閉じることができるので、第１ボールベアリング75を確実に締め付けることができ、第２の円筒部63ｂの左端部および延長シャフト６の左端部と、押え板部材64との間のクリアランスｃ1、ｃ2によって、第１ボールベアリング75の締め代を、容易に管理できる。
【００４５】
駆動ベベルギア41はカム部材85の外周にスプライン嵌合によって相互回転不能に取り付けられているが、カム部材85には外周部に左方向を向く段部85ｂが設けられ、駆動ベベルギア41の内周部に設けられた右方向を向く段部41ａと軸方向で当接しており、ダンパスプリング83により左方向に付勢されたリフタ部材81によって左方向に押されるカム部材85を、駆動ベベルギア41が軸方向に支承し、さらに、駆動ベベルギア41はカラー部材63の第２の鍔部63ｃで支承される。
【００４６】
したがって、ダンパスプリング83によってリフタ部材81からカム部材85が受けた軸方向の付勢力は、少なくとも駆動ベベルギア41で支承され、さらに第２の鍔部63ｃで支承されるが、カム部材85も直接第２の鍔部63ｃで支承される。
カラー部材63はその第２の鍔部63ｃが、第1ボールベアリング75のインナーレース75ａ、押え板部材64、締付けボルト65を介して、延長シャフト６に支承されるので、カム部材85の軸方向位置を固定できる。
【００４７】
一方、ダンパスプリング83の右端側83ａは延長シャフト６の第１の鍔部82に支承されているので、延長シャフト６上に、カムダンパ機構８を完結させて設けることとなり、ダンパスプリング83の圧縮量を延長シャフト６側のアセンブリのみで固定することができる。
【００４８】
なお、駆動べべルギア41およびカム部材85の、カラー部材63の第２の鍔部63ｃと対峙する側は、それぞれ一部が第２の鍔部63ｃと当接する当接面41ｃ、85ｃをなし、他部は第２の鍔部63ｃとの間に間隙41ｄ、85ｄを有するように構成されており、カラー部材63の第２の鍔部63ｃと対峙する側の一部を当接面41ｃ、85ｃとすることで、当接面41ｃ、85ｃの面積を減じ、また、他部の間隙41ｄ、85ｄには潤滑油が保持され、カムダンパ機構８の作動によるカム部材85の延長シャフト６に対する位相変化回動における摩擦抵抗を減ずることができる。
【００４９】
上記のカムダンパ機構８の機能について、それ自体公知なものであるが模式的な図４、図５によって、以下簡単に説明する。
なお、本実施形態においては、ダンパスプリング83の付勢力によってリフタ部材81が軸方向に移動し軸方向力Ｆａと回転方向力Ｆｒをカム部材85に及ぼす（圧接する）が、図示の便宜上その反力方向（カム部材85がリフタ部材81に及ぼす）を示して説明する。
図４、図５に示されるように、リフタ部材81の左側面81ｂには、周方向に沿って軸方向に凹部をなす凹カム面84が形成されており、凹カム面84は、延長シャフト６上、左側に装着されたカム部材85の凸カム部86に当接する。
【００５０】
図５に示されるように、伝達しようとする回転方向力Ｆｒが、凹カム面84と凸カム部86との接点において接線方向の摩擦力Ｆｆより強いとき、例えば急激なトルク変動時、凸カム部86は凹カム面84を出力軸（カウンタ軸）軸線Ｚ回りにα度滑り（凹カム面84に対しｘ偏位し）、凹カム面84に対しβ度回転した位置で接する。β度の回転によって、ダンパスプリング83は、軸方向のｈの偏位と、初期圧縮によるプリロードとによって、軸方向力Ｆａを発生する。
【００５１】
そして、回転方向力Ｆｒの接線方向分力Ｆｒｔが、ダンパスプリング83の付勢力の軸方向力Ｆａによる接線方向分力Ｆａｔと摩擦力Ｆｆの合計に釣り合ったとき滑りを止めて回転を伝達する。
なお、摩擦力Ｆｆは、回転方向力Ｆｒの法線方向分力Ｆｒｎと軸方向力Ｆａの法線方向分力Ｆａｎ等に依存する。
回転方向力Ｆｒが減ずれば、釣り合いまで偏位を減じ、ダンピング機能を奏する。
【００５２】
図３に示されるように、出力軸であるカウンタ軸32の左端部32ａ側は、ユニットケース10に第２ボールベアリング74を介して軸支され、延長シャフト６は、出力軸32とスプライン結合される。そして、延長シャフト６の右端部（出力軸側部）６ａは、第２のベアリング74とクリアランスｃ3を持って配されており、延長シャフト６は出力軸32とスプライン結合されることで、出力軸32と一体に回転可能であるとともに、軸方向力に対しては第１ボールベアリング75を介してベベルギアホルダ45側に片持ち支持されることで、延長シャフト６上のカムダンパ機構８に不要な軸方向力が掛かることが回避されており、ダンパ機能への支障が防止されている。
【００５３】
また、第２ボールベアリング74は、ユニットケース10に形成されたベアリング保持ボス10ｂに収容保持されており、ベアリング保持ボス10ｂは延長シャフト６側に突出する突出環部10ｃを有し、延長シャフト６の右端部６ａと突出環部10ｃとの間にニードルベアリングまたはローラベアリング（本発明の「第３のベアリング」）76が介装され、第１の鍔部82と突出環部10ｃとの間には、軸方向にクリアランスｃ4が設けられている。したがって、延長シャフト６に軸方向力を掛けることなく、より確実に延長シャフト６を径方向に軸支できるものとなっている。
【００５４】
図３において、32ｃは、出力軸であるカウンタ軸32に設けられた出力軸中空部32ｃであり、出力軸中空部32ｃの内部に図示しないオイルポンプから変速装置３の潤滑のために送られた潤滑油が通されている。
延長シャフト６にも出力軸中空部32ｃと連通する延長シャフト中空部６ｃが設けられており、出力軸中空部32ｃ側の潤滑油が延長シャフト中空部６ｃに流通可能に構成されている。
延長シャフト６には、延長シャフト中空部６ｃから、さらにカムダンパ機構８のリフタ部材81内周面の内周面に向けて設けられた通油孔６ｄ、およびカラー部材63に開けられた通油孔63ｄ経由カム部材85の内周面に向けて開けられた通油孔６ｅが開けられており、カムダンパ機構８や一対のベベルギア41、42の周辺に容易に潤滑油を流すことができるように構成されている。
【００５５】
以上のように、延長シャフト６は、その右端部６ａの第１の鍔部６ａと左端部６ｂに締結された第１ボールベアリング75との間に、駆動ベベルギア41とカムダンパ機構85を備えて、第１ボールベアリング75とともにベベルギアホルダ45に固着された状態で、ベベルギアケース40に収容される。
なお、ベベルギアホルダ45には、第１ボールベアリング75が固着される穴部46が設けられ、穴部46には、出力軸32側において径方向内側に突出する突出部46ａと、穴部46の延長シャフト６の軸端側における雌ネジ部46ｂとが設けられ、第１ボールベアリング75は、突出部46ａに着座するとともに、雌ネジ部46ｂに螺合するロックナット47で固定されるようになっており、簡易な構成で、第１ボールベアリング75がベベルギアホルダ45内に固定される。
図３中、符号44は、ベベルギアホルダ45のキャップである。
【００５６】
よって、延長シャフト６の右端部６ａに第１の鍔部６ａを設け、延長シャフト６の左端部６ｂに第１ボールベアリング75を締結することで、カムダンパ機構８を延長シャフト６上に完結させて設けることとなり、ダンパスプリング83の圧縮量を延長シャフト６側のアセンブリのみで固定することができる。
【００５７】
以上のようにカムダンパ機構８がアセンブリされ、第１ボールベアリング75が固定された延長シャフト６を、第１ボールベアリング75とともにベベルギアホルダ45に固着するとき、被動ベベルギア42は連結軸43と一体に形成され、ボールベアリング77を介してベベルギアケース40内に軸支されているから、一組のベベルギア41、42の噛み合い量調整のためには、ベベルギアホルダ45とベベルギアケース40の合わせ面48においてシム49を介装し調整を行なう場合がある。
【００５８】
しかし、本実施形態の場合は、カムダンパ機構８はダンパスプリング83の圧縮量を延長シャフト６側のアセンブリのみで固定されているので、ベベルギアホルダ45とベベルギアケース40の合わせ面48におけるシム49の介装によって、ダンパスプリング83の圧縮量に影響を与えることがなく、シム調整は独立して行なえる。
したがって、ベベルギアホルダ45をベベルギアケース40に組み付ける際にも、ダンパスプリング83のプリロード均一化と、一組のベベルギア41、42の噛み合い量調性の容易化を、両立させることができる。
【００５９】
以上、本発明に係る一実施形態につき説明したが、本発明は上記実施形態に限定されず、各請求項の発明の要旨の範囲内で多様な態様よって実施されるものを含むことは勿論である。
例えば、シャフトドライブ式内燃機関は請求項１の構成を備えるシャフトドライブ式内燃機関であればよく、左右の配置が反転したものでもよく、Ｖ型４気筒のものに限定されず、また、小型車両も実施形態の自動二輪車に限定されず、バギー車等の３輪、４輪の小型車両も含まれる。
また、実施形態のボールベアリング、ローラベアリング、ニードルベアリング等のベアリングの種別もそれに限定されず、メタルベアリングも含め、適宜のベアリングに変更されてよい。
【符号の説明】
【００６０】
１…パワーユニット、２…内燃機関、３…変速装置、６…延長シャフト、６ａ…右端部（本発明の「出力軸側部」）、６ｂ…左端部（本発明の「他端部」）、６ｃ…延長シャフト中空部、８…カムダンパ機構、10…ユニットケース、10ｂ…ベアリング保持ボス、10ｃ…突出環部、19Ｌ…左側壁、20…クランク軸、31…メイン軸、32…カウンタ軸（本発明の「出力軸」）、32ｂ…左端部（本発明の「軸端部」）、32ｃ…出力軸中空部、40…ベベルギアケース、41…駆動ベベルギア（本発明の「一組のベベルギア」の「一方のベベルギア」）、41ｃ…当接面、41ｄ…間隙、43…連結軸、45…ベベルギアホルダ、46…穴部、46ａ…突出部、46ｂ…雌ネジ部、47…ロックナット、49…シム、61…段部、63…カラー部材、63ａ…第１の円筒部、63ｂ…第２の円筒部、63ｃ…第２の鍔部、64…押え板部材、65…締付けボルト（本発明の「締付け部材」）、74…第２ボールベアリング（本発明の「第２のベアリング」）、75…第１ボールベアリング（本発明の「第１のベアリング」）、75ａ…インナーレース、76…（延長シャフト、右端部の）ローラベアリング（本発明の「第３のベアリング」）、81…リフタ部材、81ｂ…左側面、82…第１の鍔部、83…ダンパスプリング、83ａ…右端側（本発明の「一端側」）、83ｂ…左端側（本発明の「他端側」）、84…凹カム面、85…カム部材、85ｃ…当接面、85ｄ…間隙、86…凸カム部、90…ドライブシャフト系、Ｘ…（クランク軸の）軸線、Ｙ…（メイン軸の）軸線、Ｚ…（カウンタ軸、延長シャフトの）軸線、Ｄ…（連結軸の）軸線
【図１】
0005908316.tif 000002
【図２】
0005908316.tif 000003
【図３】
0005908316.tif 000004
【図４】
0005908316.tif 000005
【図５】
0005908316.tif 000006